(57)【要約】【課題】転写手段の一方の面への画像の転写前に記録媒体を加湿する構成において、一方の面に転写される画像に生じる白抜けを抑制できるようにする。【解決手段】画像形成装置は、記録媒体の一方の面に画像を転写しその後に前記記録媒体の他方の面に画像を転写する転写手段と、前記一方の面の表面抵抗低下率よりも前記他方の面の表面抵抗低下率のほうが大きくなるように、前記転写手段の前記一方の面への画像の転写前に前記記録媒体を加湿する加湿手段と、を備えている。【選択図】図１
2020003641.tif 000002
【特許請求の範囲】
【請求項１】
記録媒体の一方の面に画像を転写しその後に前記記録媒体の他方の面に画像を転写する転写手段と、
前記一方の面の表面抵抗低下率よりも前記他方の面の表面抵抗低下率のほうが大きくなるように、前記転写手段の前記一方の面への画像の転写前に前記記録媒体を加湿する加湿手段と、
を備える画像形成装置。
【請求項２】
記録媒体の一方の面に画像を転写しその後に前記記録媒体の他方の面に画像を転写する転写手段と、
前記一方の面の表面抵抗率よりも前記他方の面の表面抵抗率のほうが小さくなるように、前記転写手段の前記一方の面への画像の転写前に前記記録媒体を加湿する加湿手段と、
を備える画像形成装置。
【請求項３】
記録媒体の一方の面に画像を転写しその後に前記記録媒体の他方の面に画像を転写する転写手段と、
前記転写手段の前記一方の面への画像の転写前に、前記記録媒体を前記他方の面側のみから加湿する加湿手段と、
を備える画像形成装置。
【請求項４】
前記転写手段によって前記一方の面に転写された画像を前記記録媒体に定着させる定着手段、を備え、
前記加湿手段は、
前記定着手段によって前記画像が定着された記録媒体の他方の面の表面抵抗率が、前記加湿手段による加湿の前における記録媒体の他方の面の表面抵抗率よりも小さくなるように、前記記録媒体を加湿する請求項１〜３のいずれか１項に記載の画像形成装置。
【請求項５】
前記加湿手段は、
前記転写手段が前記一方の面へ画像を転写する際の電圧−電流特性が、加湿を実施しないときから予め定められた許容範囲を超えて変化しないように、前記記録媒体を加湿する
請求項１〜４のいずれか１項に記載の画像形成装置。
【請求項６】
前記加湿手段で加湿された記録媒体の表裏を反転させ、前記転写手段へ向けて搬送する反転機構
を備える請求項１〜５のいずれか１項に記載の画像形成装置。
【請求項７】
前記転写手段によって前記一方の面に転写された画像を前記記録媒体に定着させる定着手段、を備え、
前記定着手段は、前記加湿手段による加湿がなされた前記記録媒体における定着温度を、前記加湿手段による加湿がなされていない記録媒体における定着温度よりも高くする
請求項１〜６のいずれか１項に記載の画像形成装置。
【請求項８】
前記定着手段は、
前記他方の面に接触する接触部材を有し、前記接触部材の温度を高めることで、前記定着温度を高くする
請求項７に記載の画像形成装置。
【請求項９】
前記定着手段は、
前記接触部材を冷却する冷却機構を有し、
前記冷却機構の冷却機能を低下させることで、前記接触部材の温度を高める
請求項８に記載の画像形成装置。
【請求項１０】
前記転写手段によって前記一方の面に転写された画像を前記記録媒体に定着させる定着手段、を備え、
前記定着手段は、前記加湿手段による加湿がなされた前記記録媒体における定着温度を、前記加湿手段による加湿がなされていない記録媒体における定着温度よりも低くする
請求項１〜６のいずれか１項に記載の画像形成装置。
【請求項１１】
前記定着手段は、
前記他方の面に接触する接触部材を有し、前記接触部材の温度を低下させることで、前記定着温度を低くする
請求項１０に記載の画像形成装置。
【請求項１２】
前記定着手段は、
前記接触部材を冷却する冷却機構を有し、
前記冷却機構の冷却機能を高めることで、前記接触部材の温度を低下させる
請求項１１に記載の画像形成装置。
【請求項１３】
記録媒体の一方の面に画像を転写し、表裏が反転された該記録媒体の他方の面に画像を転写する転写手段が、前記一方の面へ画像を転写する前に、前記記録媒体を加湿する加湿手段であって、
前記一方の面の表面抵抗低下率よりも前記他方の面の表面抵抗低下率のほうが大きくなるように、前記記録媒体を加湿する前記加湿手段、
を備える加湿装置。
【請求項１４】
前記加湿手段で加湿された記録媒体の表裏を反転させ、前記転写手段へ向けて搬送する反転機構
を備える請求項１３に記載の加湿装置。
【発明の詳細な説明】
【技術分野】
【０００１】
本発明は、画像形成装置及び加湿装置に関する。
【背景技術】
【０００２】
特許文献１には、転写材が転写手段に到達する前に、転写材の画像面に水分を付与する構成が開示されている。
【先行技術文献】
【特許文献】
【０００３】
【特許文献１】特開２００４−１４４８２０号公報
【発明の概要】
【発明が解決しようとする課題】
【０００４】
ここで、二次転写ロール等を有する転写手段が、記録媒体の一方の面に画像を転写しその後に記録媒体の他方の面に画像を転写する構成において、転写手段の一方の面への画像の転写前に該一方の面に水分を付与する場合では、一方の面に転写される画像に白抜けが生じる場合がある。なお、「白抜け」とは、画像の一部が転写されずに、少なくとも画像の一部が抜ける現象をいう。
【０００５】
本発明は、転写手段の一方の面への画像の転写前に、記録媒体を加湿する構成において、一方の面の表面抵抗低下率が他方の面の表面抵抗低下率以上となるように記録媒体を加湿する構成に比べ、一方の面に転写される画像に生じる白抜けを抑制できるようにすることを目的とする。
【課題を解決するための手段】
【０００６】
請求項１の発明は、記録媒体の一方の面に画像を転写しその後に前記記録媒体の他方の面に画像を転写する転写手段と、前記一方の面の表面抵抗低下率よりも前記他方の面の表面抵抗低下率のほうが大きくなるように、前記転写手段の前記一方の面への画像の転写前に前記記録媒体を加湿する加湿手段と、を備える。
【０００７】
請求項２の発明は、記録媒体の一方の面に画像を転写しその後に前記記録媒体の他方の面に画像を転写する転写手段と、前記一方の面の表面抵抗率よりも前記他方の面の表面抵抗率のほうが小さくなるように、前記転写手段の前記一方の面への画像の転写前に前記記録媒体を加湿する加湿手段と、を備える。
【０００８】
請求項３の発明は、記録媒体の一方の面に画像を転写しその後に前記記録媒体の他方の面に画像を転写する転写手段と、前記転写手段の前記一方の面への画像の転写前に、前記記録媒体を前記他方の面側のみから加湿する加湿手段と、を備える。
【０００９】
請求項４の発明は、前記転写手段によって前記一方の面に転写された画像を前記記録媒体に定着させる定着手段、を備え、前記加湿手段は、前記定着手段によって前記画像が定着された記録媒体の他方の面の表面抵抗率が、前記加湿手段による加湿の前における記録媒体の他方の面の表面抵抗率よりも小さくなるように、前記記録媒体を加湿する。
【００１０】
請求項５の発明では、前記加湿手段は、前記転写手段が前記一方の面へ画像を転写する際の電圧−電流特性が、加湿を実施しないときから予め定められた許容範囲を超えて変化しないように、前記記録媒体を加湿する。
【００１１】
請求項６の発明は、前記加湿手段で加湿された記録媒体の表裏を反転させ、前記転写手段へ向けて搬送する反転機構を備える。
【００１２】
請求項７の発明は、前記転写手段によって前記一方の面に転写された画像を前記記録媒体に定着させる定着手段、を備え、前記定着手段は、前記加湿手段による加湿がなされた前記記録媒体における定着温度を、前記加湿手段による加湿がなされていない記録媒体における定着温度よりも高くする。
【００１３】
請求項８の発明では、前記定着手段は、前記他方の面に接触する接触部材を有し、前記接触部材の温度を高めることで、前記定着温度を高くする。
【００１４】
請求項９の発明では、前記定着手段は、前記接触部材を冷却する冷却機構を有し、前記冷却機構の冷却機能を低下させることで、前記接触部材の温度を高める。
【００１５】
請求項１０の発明は、前記転写手段によって前記一方の面に転写された画像を前記記録媒体に定着させる定着手段、を備え、前記定着手段は、前記加湿手段による加湿がなされた前記記録媒体における定着温度を、前記加湿手段による加湿がなされていない記録媒体における定着温度よりも低くする。
【００１６】
請求項１１の発明では、前記定着手段は、前記他方の面に接触する接触部材を有し、前記接触部材の温度を低下させることで、前記定着温度を低くする。
【００１７】
請求項１２の発明では、前記定着手段は、前記接触部材を冷却する冷却機構を有し、前記冷却機構の冷却機能を高めることで、前記接触部材の温度を低下させる。
【００１８】
請求項１３の発明は、記録媒体の一方の面に画像を転写し、表裏が反転された該記録媒体の他方の面に画像を転写する転写手段が、前記一方の面へ画像を転写する前に、前記記録媒体を加湿する加湿手段であって、前記一方の面の表面抵抗低下率よりも前記他方の面の表面抵抗低下率のほうが大きくなるように、前記記録媒体を加湿する前記加湿手段、を備える。
【００１９】
請求項１４の発明は、前記加湿手段で加湿された記録媒体の表裏を反転させ、前記転写手段へ向けて搬送する反転機構を備える。
【発明の効果】
【００２０】
本発明の請求項１の構成によれば、転写手段の一方の面への画像の転写前に、記録媒体を加湿する構成において、一方の面の表面抵抗低下率が他方の面の表面抵抗低下率以上となるように記録媒体を加湿する構成に比べ、一方の面に転写される画像に生じる白抜けを抑制できる。
【００２１】
本発明の請求項２の構成によれば、転写手段の一方の面への画像の転写前に、記録媒体を加湿する構成において、一方の面の表面抵抗率が他方の面の表面抵抗率以下となるように記録媒体を加湿する構成に比べ、一方の面に転写される画像に生じる白抜けを抑制できる。
【００２２】
本発明の請求項３の構成によれば、転写手段の一方の面への画像の転写前に、記録媒体を加湿する構成において、記録媒体を一方の面側から加湿する構成に比べ、一方の面に転写される画像に生じる白抜けを抑制できる。
【００２３】
本発明の請求項４の構成によれば、一方の面に転写された画像が定着された記録媒体の他方の面の表面抵抗率が、加湿手段による加湿の前における記録媒体の他方の面の表面抵抗率以上となるように記録媒体を加湿する構成に比べ、他方の面に転写される画像に生じる白抜けを抑制できる。
【００２４】
本発明の請求項５の構成によれば、転写手段が一方の面へ画像を転写する際の電圧−電流特性が、加湿を実施しないときから予め定められた許容範囲を超えるように、加湿する構成に比べ、一方の面に転写される画像に生じる白抜けを抑制できる。
【００２５】
本発明の請求項６の構成によれば、転写手段で転写される際の記録媒体の一方の面の向きと、加湿手段で加湿される際の記録媒体の他方の面の向きと、を同じにできる。
【００２６】
本発明の請求項７の構成によれば、記録媒体が加湿されている否かに関わらず定着温度が維持される構成に比べ、加湿された記録媒体の他方の面の最表面を乾燥させることができる。
【００２７】
本発明の請求項８の構成によれば、一方の面に接触する接触部材の温度を高めることで、定着温度を高くする構成に比べ、一方の面への画像の定着性の変化を抑制することができる。
【００２８】
本発明の請求項９の構成によれば、加熱機構で接触部材の温度を高める構成に比べ、消費電力の増加を抑制できる。
【００２９】
本発明の請求項１０の構成によれば、記録媒体が加湿されている否かに関わらず定着温度が維持される構成に比べ、定着手段周辺の結露を抑制できる。
【００３０】
本発明の請求項１１の構成によれば、一方の面に接触する接触部材の温度を低くすることで、定着温度を低くする構成に比べ、一方の面への画像の定着性の変化を抑制することができる。
【００３１】
本発明の請求項１２の構成によれば、他の冷却機構で接触部材の温度を低下させる構成に比べ、部品点数の増加を抑制できる。
【００３２】
本発明の請求項１３の構成によれば、転写手段の一方の面への画像の転写前に、記録媒体を加湿する構成において、一方の面の表面抵抗低下率が他方の面の表面抵抗低下率以上となるように記録媒体を加湿する構成に比べ、一方の面に転写される画像に生じる白抜けを抑制できる。
【００３３】
本発明の請求項１４の構成によれば、転写手段で転写される際の記録媒体の一方の面の向きと、加湿手段で加湿される際の記録媒体の他方の面の向きと、を同じにできる。
【図面の簡単な説明】
【００３４】
【図１】本実施形態に係る画像形成装置の構成を示す概略図である。
【図２】本実施形態に係るトナー像形成部の構成を示す概略図である。
【図３】本実施形態に係る定着装置の構成を示す概略図である。
【図４】本実施形態に係る吐出部の構成を示す概略図である。
【図５】本実施形態に係る吐出部によって加湿された記録媒体を示す概略図である。
【図６】加湿が実施された場合の二次転写における電圧−電流特性と、加湿が実施されない場合の二次転写における電圧−電流特性と、を示すグラフである。
【図７】比較例に係る加湿部によって加湿された記録媒体が二次転写位置に搬送された状態を示す概略図である。
【図８】本実施形態に係る吐出部によって加湿された記録媒体が二次転写位置に搬送された状態を示す概略図である。
【図９】変形例に係る加湿部の構成を示す概略図である。
【図１０】実施例及び比較例の評価結果を示す表である。
【発明を実施するための形態】
【００３５】
以下に、本発明に係る実施形態の一例を図面に基づき説明する。
【００３６】
＜画像形成装置１０＞
本実施形態に係る画像形成装置１０の構成を説明する。図１は、本実施形態に係る画像形成装置１０の構成を示す概略図である。
【００３７】
図１に示される画像形成装置１０は、記録媒体に画像を形成する画像形成装置の一例である。具体的には、画像形成装置１０は、記録媒体Ｐにトナー像（画像の一例）を形成する電子写真式の画像形成装置である。さらに具体的には、画像形成装置１０は、制御部２０と、給紙ユニット１２と、画像形成ユニット１１と、加湿ユニット６０と、を有している。以下、画像形成装置１０の画像形成対象である記録媒体Ｐと、画像形成装置１０の各部（制御部２０、給紙ユニット１２、画像形成ユニット１１及び加湿ユニット６０）と、について説明する。
【００３８】
（記録媒体Ｐ）
記録媒体Ｐは、画像が形成（記録）される記録媒体の一例である。具体的には、記録媒体として、吸湿性（水分を吸収する性質）を有する記録媒体が用いられる。さらに具体的には、記録媒体Ｐとして、含水率が上昇することで表面抵抗率が低下する性質を有する記録媒体が用いられる。すなわち、記録媒体Ｐとしては、乾燥すると、表面抵抗率が上昇する性質を有する記録媒体が用いられる。さらに具体的には、記録媒体Ｐの一例として、用紙（植物繊維その他の繊維を膠着させて製造したもの）が用いられる。
【００３９】
また、記録媒体Ｐは、一方の面の一例としての表面ＰＡ（図３参照）と、他方の面の一例としての裏面ＰＢ（図３参照）と、を有している。表面ＰＡは、記録媒体Ｐの両面に画像が形成される場合において、最初にトナー像が転写される転写面である。裏面ＰＢは、表面ＰＡの反対側の面であり、記録媒体Ｐの両面に画像が形成される場合において、２回目にトナー像が転写される転写面である。
【００４０】
（制御部２０）
図１に示される制御部２０は、給紙ユニット１２、画像形成ユニット１１及び加湿ユニット６０を含む画像形成装置１０の各部の動作を制御する機能を有している。この制御部２０には、給紙ユニット１２、画像形成ユニット１１及び加湿ユニット６０を含む画像形成装置１０の各部が接続されている。なお、制御部２０は、一例として、画像形成ユニット１１に設けられている。
【００４１】
画像形成装置１０は、記録媒体Ｐの両面（表面ＰＡ及び裏面ＰＢ）に画像を形成する両面モードと、記録媒体Ｐの片面（表面ＰＡ）に画像を形成する片面モードと、を有している。制御部２０は、操作パネル等の選択部を通じて、操作者（ユーザ）によって選択されたモード（両面モード又は片面モード）に応じて、画像形成装置１０の各部を作動させる。
【００４２】
（給紙ユニット１２）
図１に示される給紙ユニット１２は、記録媒体Ｐを加湿ユニット６０へ供給する供給ユニット（供給装置）である。具体的には、給紙ユニット１２は、図１に示されるように、記録媒体Ｐが載せられる手差しトレイ１２２を有している。給紙ユニット１２の筐体１２１の内部には、記録媒体Ｐを収容する収容部（図示省略）が設けられている。
【００４３】
記録媒体Ｐは、裏面ＰＢが上方側を向いた状態で手差しトレイ１２２に載せられる。また、記録媒体Ｐは、裏面ＰＢが上方側を向いた状態で前述の収容部（図示省略）に収容される。
【００４４】
給紙ユニット１２では、送出ロール（図示省略）によって、手差しトレイ１２２又は前述の収容部（図示省略）から記録媒体Ｐが選択的に送り出される。これにより、記録媒体Ｐは、裏面ＰＢが上方側を向いた状態で給紙ユニット１２から加湿ユニット６０へ供給される。
【００４５】
（画像形成ユニット１１）
図１に示される画像形成ユニット１１は、記録媒体Ｐに画像を形成するユニット（画像形成部）である。具体的には、画像形成ユニット１１は、加湿ユニット６０で加湿された記録媒体Ｐに対して、画像を形成する機能を有している。さらに具体的には、画像形成ユニット１１は、図１に示されるように、搬送部１５と、トナー像形成部２２と、転写装置１７と、定着装置１６と、を備えている。
【００４６】
〔搬送部１５〕
図１に示される搬送部１５は、記録媒体Ｐを搬送する機能を有している。具体的には、搬送部１５は、図１に示されるように、第一搬送機構１５１と、第二搬送機構１５２と、第三搬送機構１５３と、反転機構１５４と、を有している。
【００４７】
第一搬送機構１５１は、加湿ユニット６０から送られた記録媒体Ｐを後述の二次転写位置Ｔ２（トナー画像が記録媒体Ｐに転写される位置）へ搬送する機構である。具体的には、第一搬送機構１５１は、複数（例えば４つ）の搬送ロール５０を有している。複数の搬送ロール５０は、加湿ユニット６０から送られた記録媒体Ｐが導入される導入部１５０から二次転写位置Ｔ２までの経路に沿って配置されている。第一搬送機構１５１では、複数の搬送ロール５０が、加湿ユニット６０で加湿された記録媒体Ｐを導入部１５０から二次転写位置Ｔ２へ搬送する。
【００４８】
第二搬送機構１５２は、二次転写位置Ｔ２から定着装置１６へ搬送する機構である。具体的には、第二搬送機構１５２は、二次転写位置Ｔ２と定着装置１６との間に配置された搬送ベルト５９を有している。搬送ベルト５９は、そのベルト外周面に吸引等により記録媒体Ｐを保持した状態で周回することで、記録媒体Ｐを搬送する搬送部材である。第二搬送機構１５２では、搬送ベルト５９が、二次転写位置Ｔ２でトナー像が転写された記録媒体Ｐを外周面に保持した状態で定着装置１６へ搬送する。
【００４９】
第三搬送機構１５３は、定着装置１６から画像形成ユニット１１の筐体１３の外部へ記録媒体Ｐを搬送する機構である。具体的には、第三搬送機構１５３は、複数（例えば２つ）の排出ロール５２を有している。第三搬送機構１５３では、複数の排出ロール５２が、定着装置１６でトナー像が定着された記録媒体Ｐを筐体１３の外部（排出部）へ搬送（排出）する。
【００５０】
反転機構１５４は、定着装置１６によって画像が定着された記録媒体Ｐの表裏を反転させる機構である。具体的には、反転機構１５４は、複数（例えば９つ）の搬送ロール５６を有している。反転機構１５４では、複数の搬送ロール５６で記録媒体Ｐを搬送して、該記録媒体Ｐをスイッチバックさせることで該記録媒体Ｐの表裏を反転させ、該記録媒体Ｐを第一搬送機構１５１へ搬送する。
【００５１】
なお、搬送部１５では、記録媒体Ｐの両面に画像が形成される場合（具体的には両面モードが選択された場合）において、反転機構１５４が作動して、定着後の記録媒体Ｐの表裏を反転させ、該記録媒体Ｐを第一搬送機構１５１へ搬送する。また、記録媒体Ｐの片面に画像が形成される場合（具体的には片面モードが選択された場合）では、反転機構１５４は作動せず、定着後の記録媒体Ｐは、第三搬送機構１５３によって、筐体１３の外部（排出部）へ搬送（排出）される。
【００５２】
〔トナー像形成部２２〕
図１に示されるトナー像形成部２２は、色ごとにトナー像を形成するように複数備えられている。本実施形態では、イエロー（Ｙ）、マゼンタ（Ｍ）、シアン（Ｃ）、ブラック（Ｋ）の計４色のトナー像形成部２２が設けられている。図１に示す（Ｙ）、（Ｍ）、（Ｃ）、（Ｋ）は、上記各色に対応する構成部分を示している。なお、画像形成装置１０では、イエロー（Ｙ）、マゼンタ（Ｍ）、シアン（Ｃ）、ブラック（Ｋ）を区別する必要がない場合は、（Ｙ）、（Ｍ）、（Ｃ）、（Ｋ）の表記を省略する場合がある。
【００５３】
各色のトナー像形成部２２は、用いるトナーを除き基本的に同様に構成されている。具体的には、各色のトナー像形成部２２は、図２に示されるように、一方向（例えば図２における時計周り方向）に回転する感光体ドラム３２（感光体）を有している。さらに、各色のトナー像形成部２２は、帯電装置２３と、露光装置３６と、現像装置３８と、除去装置４０と、を有している。
【００５４】
各色のトナー像形成部２２では、帯電装置２３が、感光体ドラム３２を帯電させる。さらに露光装置３６が、帯電装置２３によって帯電された感光体ドラム３２を、制御部２０から送られた画像信号に基づき露光して、感光体ドラム３２に静電潜像を形成する。また、現像装置３８が、露光装置３６によって感光体ドラム３２に形成された静電潜像を現像してトナー像を形成する。そして、除去装置４０が、後述の転写ベルト２４へのトナー像の転写後に感光体ドラム３２に残留したトナーを除去する。
【００５５】
〔転写装置１７〕
図１に示される転写装置１７は、トナー像形成部２２で形成されたトナー像を記録媒体Ｐに転写する装置である。具体的には、転写装置１７は、各色の感光体ドラム３２のトナー像を、中間転写体としての転写ベルト２４に重畳して一次転写し、該重畳されたトナー像を二次転写位置Ｔ２（ニップ部）で記録媒体Ｐに二次転写する。具体的には、転写装置１７は、図１に示されるように、転写ベルト２４と、一次転写ロール２６と、転写部３５と、を備えている。
【００５６】
転写ベルト２４は、図１に示されるように、無端状を成し、複数のロール４２に巻き掛けられて姿勢が決められている。転写ベルト２４は、例えば、複数のロール４２のうち、ロール４２Ｄが、駆動部（図示省略）によって回転駆動することで、矢印Ａ方向へ周回する。なお、複数のロール４２のうち、図１に示すロール４２Ｂは、後述の二次転写ロール２８の対向ロール４２Ｂとして機能する。
【００５７】
一次転写ロール２６は、各感光体ドラム３２のトナー像を、感光体ドラム３２と一次転写ロール２６との間の一次転写位置Ｔ１（図２参照）にて転写ベルト２４に転写させるロールである。本実施形態では、一次転写ロール２６と感光体ドラム３２との間に一次転写電圧が印加されることで、感光体ドラム３２に形成されたトナー像が、一次転写位置Ｔ１にて転写ベルト２４に転写される。
【００５８】
転写部３５は、記録媒体の一方の面に画像を転写しその後に記録媒体の他方の面に画像を転写する転写手段の一例である。具体的には、転写部３５は、記録媒体Ｐの表面ＰＡにトナー像を転写し、該記録媒体Ｐの表裏が反転機構１５４で反転されて該記録媒体Ｐが二次転写位置Ｔ２に搬送された場合（具体的には両面モードが選択された場合）において、該記録媒体Ｐの裏面ＰＢにトナー像を転写する機能を有している。
【００５９】
さらに具体的には、転写部３５は、転写部材としての二次転写ロール２８と、前述の対向ロール４２Ｂと、を有している。この二次転写ロール２８と転写ベルト２４の間が二次転写位置Ｔ２とされている。転写部３５では、二次転写ロール２８と対向ロール４２Ｂとの間に、二次転写電圧が印加されることで、転写ベルト２４に重畳された各色のトナー像が二次転写位置Ｔ２にて記録媒体Ｐに転写される。転写部３５は、前述の構成に限られない。例えば、転写部３５は、二次転写ロール２８に代えて、二次転写ベルトを有する構成であってもよい。
【００６０】
〔定着装置１６〕
図１に示される定着装置１６は、転写部によって一方の面に転写された画像を記録媒体に定着させる定着手段の一例である。具体的には、定着装置１６は、転写部３５によって記録媒体Ｐに転写されたトナー像を該記録媒体Ｐに定着する装置である。さらに具体的には、定着装置１６は、図３に示されるように、加熱部材としての加熱ベルト８２と、加圧部材としての加圧ロール８４と、を有している。
【００６１】
加熱ベルト８２は、加熱ロール８５、８６及び支持ロール８７に巻き掛けられている。さらに、加熱ベルト８２の外周面に外部加熱ロール８８が接触している。加熱ベルト８２は、加熱ロール８５、８６及び外部加熱ロール８８によって加熱される。そして、加熱ベルト８２は、記録媒体Ｐの表面ＰＡに接触して記録媒体Ｐを加熱する。なお、記録媒体Ｐの両面に画像が形成される場合（具体的には両面モードが選択された場合）において、表裏が反転機構１５４で反転されて裏面ＰＢにトナー像が転写された記録媒体Ｐに対しては、その裏面ＰＢに加熱ベルト８２が接触して該記録媒体Ｐを加熱する。
【００６２】
加圧ロール８４は、他方の面に接触する接触部材の一例である。具体的には、加圧ロール８４は、記録媒体Ｐの裏面ＰＢに接触し、記録媒体Ｐを加熱ベルト８２との間に挟んで加圧する機能を有している。なお、記録媒体Ｐの両面に画像が形成される場合（具体的には両面モードが選択された場合）において、表裏が反転機構１５４で反転されて裏面ＰＢにトナー像が転写された記録媒体Ｐに対しては、その表面ＰＡに加圧ロール８４が接触して該記録媒体Ｐを加圧する。
【００６３】
加圧ロール８４の周辺（具体的には下側）には、加圧ロール８４へ送風する送風機８９が設けられている。送風機８９は、接触部材を冷却する冷却機構の一例である。具体的には、送風機８９は、加圧ロール８４へ風を送ることで加圧ロール８４を冷却する機能を有している。送風機８９は、制御部２０によって駆動が制御され、風量を調整可能となっている。すなわち、送風機８９は、加圧ロール８４を冷却する冷却機能が可変となっている。
【００６４】
そして、定着装置１６では、加熱ベルト８２及び加圧ロール８４によって、記録媒体Ｐを加熱及び加圧することで、記録媒体Ｐに形成されたトナー像を該記録媒体Ｐに定着する。
【００６５】
本実施形態では、定着装置１６は、制御部２０によって駆動が制御されることで、加湿ユニット６０の後述の吐出部６４による加湿がなされた記録媒体Ｐにおける定着温度を、加湿ユニット６０の吐出部６４による加湿がなされていない記録媒体Ｐにおける定着温度よりも高くする。すなわち、定着装置１６は、両面モードにおける定着温度を、片面モードにおける定着温度よりも高くする。なお、両面モードにおいて、記録媒体Ｐの表面ＰＡにトナー像を定着する際の定着温度が高ければよく、記録媒体Ｐの裏面ＰＢにトナー像を定着する際の定着温度は、片面モードにおける定着温度と同じであってもよい。
【００６６】
具体的には、本実施形態では、加圧ロール８４の温度を高めることで、加湿ユニット６０による加湿がなされた記録媒体Ｐにおける定着温度を高くする。すなわち、両面モードにおいて、片面モードにおける加圧ロール８４の温度よりも、加圧ロール８４の温度を高くする。
【００６７】
さらに具体的には、本実施形態では、送風機８９の風量（冷却機能の一例）を低下させることで、加圧ロール８４の温度を高める。すなわち、両面モードにおいて、片面モードにおける送風機８９の風量よりも、送風機８９の風量を低下させる。
【００６８】
なお、定着手段の一例としては、前述の定着装置１６に限られない。例えば、加熱部材としての加熱ロールを用いた定着装置であってもよい。また、冷却機構の一例としては、送風機８９に代えて又は加えて、加圧ロール８４の内部に空気や水等を流通させて加圧ロール８４を冷却する機構を用いてもよい。
【００６９】
（加湿ユニット６０）
図１に示される加湿ユニット６０は、記録媒体Ｐを加湿する加湿装置の一例である。具体的には、加湿ユニット６０は、記録媒体Ｐを裏面ＰＢ（図４参照）側から加湿する機能を有している。さらに具体的には、加湿ユニット６０は、図１に示されるように、筐体６１と、搬送機構６２と、吐出部６４と、反転機構６６と、を有している。なお、「記録媒体Ｐを加湿する」とは、記録媒体Ｐに水分を付与することをいう。
【００７０】
（筐体６１）
図１に示される筐体６１は、加湿ユニット６０の各構成部品を収容する機能を有している。この筐体６１は、給紙ユニット１２の筐体１２１と、画像形成ユニット１１の筐体１３と、の間に配置されており、筐体１２１と筐体１３とに接続されている。すなわち、加湿ユニット６０は、画像形成ユニット１１から独立したユニット（装置）として構成されている。
【００７１】
（搬送機構６２）
図１に示される搬送機構６２は、給紙ユニット１２から送られた記録媒体Ｐを吐出部６４へ搬送する機構である。具体的には、搬送機構６２は、図４に示されるように、記録媒体Ｐの裏面ＰＢを吐出部６４側（具体的には上方側）へ向けた状態で搬送する機能を有している。さらに具体的には、搬送機構６２は、記録媒体Ｐを挟んで搬送する搬送ロール６３で構成されている。
【００７２】
（吐出部６４）
図１に示される吐出部６４は、転写部の一方の面への画像の転写前に、記録媒体を他方の面側のみから加湿する加湿手段の一例である。具体的には、吐出部６４は、転写部３５の表面ＰＡ（図４参照）への画像の転写前に記録媒体Ｐを裏面ＰＢ（図４参照）側のみから加湿する機能を有している。
【００７３】
さらに具体的には、吐出部６４は、図４に示されるように、記録媒体Ｐの吐出部６４側（具体的には上方側）を向いた裏面ＰＢに対して、水組成物を吐出する吐出ヘッド（インクジェットヘッド）で構成されている。水組成物は、水を含む液体である。水としては、例えばイオン交換水や蒸留水が用いられる。水組成物には、保湿剤や界面活性剤等の添加剤が添加されていてもよい。吐出部６４の駆動は、吐出部６４に接続された制御部２０によって制御される。
【００７４】
吐出部６４は、一方の面の表面抵抗低下率よりも他方の面の表面抵抗低下率のほうが大きくなるように、転写部の一方の面への画像の転写前に記録媒体を加湿する加湿手段の一例でもある。具体的には、吐出部６４は、表面ＰＡ（図４参照）の表面抵抗低下率よりも裏面ＰＢ（図４参照）の表面抵抗低下率のほうが大きくなるように、転写部３５（図１参照）の表面ＰＡへの画像の転写前に記録媒体Ｐを加湿する機能を有している。
【００７５】
吐出部６４は、前述のように、記録媒体Ｐを裏面ＰＢ側から加湿するため、図５に示されるように、記録媒体Ｐの裏面ＰＢに水分Ｗが付着すると共に、記録媒体Ｐの少なくとも裏面ＰＢの表面層に水分Ｗが付与される。また、本実施形態では、記録媒体Ｐを裏面ＰＢ側から加湿するため、記録媒体Ｐの表面ＰＡの表面層には、水分Ｗが到達しにくい。この結果、記録媒体Ｐの裏面ＰＢの表面抵抗低下率が、記録媒体Ｐの表面ＰＡの表面抵抗低下率よりも大きくなる。換言すれば、本実施形態では、吐出部６４が記録媒体Ｐを加湿した結果、記録媒体Ｐの裏面ＰＢの表面抵抗低下率が、記録媒体Ｐの表面ＰＡの表面抵抗低下率よりも大きくなる。
【００７６】
なお、本実施形態では、加湿の結果、記録媒体Ｐの裏面ＰＢの表面抵抗低下率が、記録媒体Ｐの表面ＰＡの表面抵抗低下率よりも大きくなればよく、記録媒体Ｐの表面ＰＡに水分が付与されてもよい。例えば、吐出部６４から吐出された水組成物が記録媒体Ｐの裏面ＰＢに当たることで微粒子となって浮遊し、該微粒子が表面ＰＡに付着してもよい。
【００７７】
ここで、表面抵抗低下率とは、加湿前の記録媒体Ｐの表面抵抗率に対して、加湿後の記録媒体Ｐの表面抵抗率が低下した割合（比率）をいう。表面抵抗率は、例えば、ＪＩＳ  Ｋ６９１１に則り、二重リング測定法により測定される。なお、表面抵抗率の測定方法は、これに限定されず、２本の棒状電極などを用いた方法であってもよいが、加湿前後の一連の測定を同一条件で行うことが必要である。
【００７８】
加湿前の記録媒体Ｐの表面抵抗率の測定は、一例として、加湿ユニット６０へ搬送される前の記録媒体Ｐ（例えば、給紙ユニット１２の手差しトレイ１２２に載せられた状態の記録媒体Ｐ）に対して行われる。加湿後の記録媒体Ｐの表面抵抗率の測定は、一例として、加湿ユニット６０から搬送（排出）された記録媒体Ｐに対して行われる。
【００７９】
また、吐出部６４は、一方の面の表面抵抗率よりも他方の面の表面抵抗率のほうが小さくなるように、転写部の一方の面への画像の転写前に記録媒体を加湿する加湿手段の一例でもある。具体的には、吐出部６４は、表面ＰＡの表面抵抗率よりも裏面ＰＢの表面抵抗率のほうが小さくなるように、転写部３５の表面ＰＡへの画像の転写前に記録媒体Ｐを加湿する機能を有している。
【００８０】
前述のように、吐出部６４による記録媒体Ｐの裏面ＰＢ側からの加湿によって、図５に示されるように、記録媒体Ｐの裏面ＰＢに水分Ｗが付着すると共に、記録媒体Ｐの少なくとも裏面ＰＢの表面層に水分Ｗが付与される。また、記録媒体Ｐを裏面ＰＢ側から加湿するため、記録媒体Ｐの表面ＰＡの表面層には、水分Ｗが到達しにくい。この結果、記録媒体Ｐの裏面ＰＢの表面抵抗率が、表面ＰＡの表面抵抗率よりも小さくなる。換言すれば、本実施形態では、吐出部６４が記録媒体Ｐを加湿した結果、記録媒体Ｐの裏面ＰＢの表面抵抗率が、表面ＰＡの表面抵抗率よりも小さくなる。
【００８１】
なお、本実施形態では、加湿の結果、記録媒体Ｐの裏面ＰＢの表面抵抗率が、表面ＰＡの表面抵抗率よりも小さくなればよく、記録媒体Ｐの表面ＰＡに水分が付与されてもよい。例えば、吐出部６４から吐出された水組成物が記録媒体Ｐの裏面ＰＢに当たることで微粒子となって浮遊し、該微粒子が表面ＰＡに付着してもよい。
【００８２】
本実施形態では、制御部２０によって吐出部６４の駆動が制御されることで、吐出部６４が記録媒体Ｐへ付与する水分量（以下、加湿量という）が制御される。具体的には、例えば、記録媒体Ｐの厚み（坪量）に応じて、記録媒体Ｐの単位面積当たりの吐出量が制御されることで、吐出部６４による記録媒体Ｐの加湿量が制御される。
【００８３】
吐出部６４による加湿量は、例えば、表面ＰＡに転写されたトナー像が定着装置１６によって定着された記録媒体Ｐの裏面ＰＢの表面抵抗率が、吐出部６４による加湿の前における記録媒体Ｐの裏面ＰＢの表面抵抗率よりも小さくなる量とされる。
【００８４】
すなわち、吐出部６４は、表面ＰＡに転写されたトナー像が定着装置１６によって定着された記録媒体Ｐの裏面ＰＢの表面抵抗率が、吐出部６４による加湿の前における記録媒体Ｐの裏面ＰＢの表面抵抗率よりも小さくなるように、記録媒体Ｐを加湿する。さらに換言すれば、本実施形態では、吐出部６４が記録媒体Ｐを加湿した結果、記録媒体Ｐが定着装置１６による加熱によって乾燥しても、定着装置１６による定着後の記録媒体Ｐの裏面ＰＢの表面抵抗率が、吐出部６４による加湿の前における記録媒体Ｐの裏面ＰＢの表面抵抗率よりも小さくなる。なお、当該加湿量は、例えば、予め試験を行うことで定められる。
【００８５】
また、吐出部６４による加湿量は、例えば、転写部３５が表面ＰＡへ画像を転写する際の電圧−電流特性が、加湿を実施しないときから予め定められた許容範囲を超えて変化しない量とされる。
【００８６】
すなわち、吐出部６４は、転写部３５が表面ＰＡへ画像を転写する際の電圧−電流特性が、加湿を実施しないとき（片面モードのとき）から予め定められた許容範囲を超えて変化しないように、記録媒体Ｐを加湿する（図６参照）。さらに換言すれば、本実施形態では、吐出部６４が記録媒体Ｐを加湿した結果、転写部３５が表面ＰＡへ画像を転写する際の電圧−電流特性が、加湿を実施しないときから予め定められた許容範囲を超えて変化しない。当該加湿量は、例えば、予め試験を行うことで定められる。
【００８７】
なお、図６には、加湿を実施しない場合の電圧−電流特性が、円形のプロット及び実線にて示され、本実施形態における加湿後の電圧−電流特性が、三角形のプロット及び一点鎖線にて示されている。また、前述の予め定められた許容範囲が二点鎖線で示されている。さらに、電圧−電流特性が、予め定められた許容範囲を超えて変化した場合の電圧−電流特性が、四角形のプロット及び破線にて示されている。
【００８８】
ここで、転写部３５において、二次転写ロール２８と対向ロール４２Ｂとの間に印加される二次転写電圧に対する電流値は、記録媒体Ｐの転写ベルト２４及び二次転写ロール２８に対する接触抵抗に応じて変化する。本実施形態では、記録媒体Ｐの裏面ＰＢと二次転写ロール２８との間に水分が介在することで、記録媒体Ｐの裏面ＰＢの二次転写ロール２８に対する接触抵抗が低下する。さらに、記録媒体Ｐの裏面ＰＢ側から付与された水分が表面ＰＡに到達した場合では、記録媒体Ｐの表面ＰＡの転写ベルト２４に対する接触抵抗が低下し、二次転写電圧に対する電流値が上昇する場合がある。
【００８９】
一方、記録媒体Ｐの裏面ＰＢ側から付与された水分が表面ＰＡに到達しなければ、二次転写電圧に対する電流値は、変化しにくく、転写部３５が表面ＰＡへ画像を転写する際の電圧−電流特性が、加湿を実施しないときから予め定められた許容範囲を超えて変化しない。
【００９０】
したがって、換言すれば、本実施形態では、吐出部６４は、記録媒体Ｐの裏面ＰＢ側から付与された水分が表面ＰＡに到達しない量の水分を付与する構成とされている。さらに本実施形態は、吐出部６４は、記録媒体Ｐの表面ＰＡの転写ベルト２４に対する接触抵抗が変化しない量の水分を付与する構成ともいえる。
【００９１】
また、吐出部６４は、記録媒体Ｐの両面に画像が形成される場合（具体的には両面モードが選択された場合）に記録媒体Ｐを加湿し、記録媒体Ｐの片面に画像が形成される場合（具体的には片面モードが選択された場合）では、吐出部６４は、記録媒体Ｐへの水組成物の吐出を停止する。すなわち、記録媒体Ｐの片面に画像が形成される場合では、加湿ユニット６０は、記録媒体Ｐの加湿を行わない。
【００９２】
（反転機構６６）
図１に示される反転機構６６は、加湿手段で加湿された記録媒体の表裏を反転させ、転写部へ向けて搬送する反転機構の一例である。具体的には、反転機構６６は、吐出部６４によって加湿された記録媒体Ｐの表裏を反転させ、画像形成ユニット１１へ搬送する機構である。換言すれば、反転機構６６は、吐出部６４から画像形成ユニット１１（転写部３５）までの搬送経路の間で記録媒体Ｐを反転させる機能を有している。
【００９３】
さらに具体的には、反転機構６６は、複数（例えば５つ）の搬送ロール対６７を有している。搬送ロール対６７は、図４に示されるように、記録媒体Ｐの裏面ＰＢに接触する搬送ロール６７Ａと、記録媒体Ｐの表面ＰＡに接触する搬送ロール６７Ｂと、を有している。搬送ロール６７Ａは、搬送ロール６７Ｂよりも記録媒体Ｐに対する接触面積が小さくされている。具体的には、搬送ロール６７Ａは、外周部分に径方向外側に突出する凸部を有するスターホイールで構成されている。反転機構６６では、複数の搬送ロール対６７で記録媒体Ｐを搬送して、該記録媒体Ｐをスイッチバックさせることで該記録媒体Ｐの表裏を反転させる。これにより、吐出部６４下において記録媒体Ｐの上方側を向いていた裏面ＰＢが、下方側を向いた状態で、加湿ユニット６０から排出されると共に画像形成ユニット１１へ導入（供給）される。
【００９４】
＜本実施形態の作用＞
以下では、記録媒体Ｐの両面に画像が形成される場合（具体的には両面モードが選択された場合）における作用を説明する。
【００９５】
図１に示される画像形成装置１０では、裏面ＰＢが上方側を向いた状態で給紙ユニット１２から加湿ユニット６０へ供給された記録媒体Ｐは、搬送機構６２の搬送ロール６３によって、吐出部６４へ搬送される。吐出部６４は、図４に示されるように、記録媒体Ｐの、吐出部６４側（具体的には上方側）を向いた裏面ＰＢに対して、水組成物を吐出する。すなわち、吐出部６４は、記録媒体Ｐを裏面ＰＢ側のみから加湿する。
【００９６】
これにより、図５に示されるように、記録媒体Ｐの裏面ＰＢに水分Ｗが付着すると共に、記録媒体Ｐの少なくとも裏面ＰＢの表面層に水分Ｗが付与される。また、本実施形態では、記録媒体Ｐを裏面ＰＢ側から加湿するため、記録媒体Ｐの表面ＰＡの表面層には、水分Ｗが到達しにくい。
【００９７】
吐出部６４によって加湿された記録媒体Ｐは、図１に示される反転機構６６によって、表裏が反転され、画像形成ユニット１１へ導入される。画像形成ユニット１１へ導入された記録媒体Ｐは、第一搬送機構１５１における複数の搬送ロール５０によって、表面ＰＡが転写ベルト２４側（具体的には上方側）を向いた状態で、二次転写位置Ｔ２へ搬送される。
【００９８】
一方、図２に示される各色のトナー像形成部２２では、帯電装置２３によって帯電した感光体ドラム３２が、露光装置３６によって露光されて感光体ドラム３２に静電潜像が形成される。その静電潜像が現像装置３８によって現像されて感光体ドラム３２にトナー像が形成される。各色のトナー像形成部２２で形成された各色のトナー像は、一次転写位置Ｔ１にて転写ベルト２４に重畳されて、カラー画像が形成される。そして、転写ベルト２４に形成されたカラー画像が、図１に示される二次転写位置Ｔ２にて記録媒体Ｐの表面ＰＡに転写される。
【００９９】
表面ＰＡにトナー像が転写された記録媒体Ｐは、第二搬送機構１５２における搬送ベルト５９によって、定着装置１６へ搬送され、転写されたトナー像が定着装置１６により定着される。トナー像が定着された記録媒体Ｐは、反転機構１５４における搬送ロール５６によって、表裏が反転される。
【０１００】
表裏が反転された記録媒体Ｐは、第一搬送機構１５１における複数の搬送ロール５０によって、裏面ＰＢが転写ベルト２４側（具体的には上方側）を向いた状態で、二次転写位置Ｔ２へ搬送される。転写ベルト２４に形成されたカラー画像が、二次転写位置Ｔ２にて記録媒体Ｐの裏面ＰＢに転写される。
【０１０１】
裏面ＰＢにトナー像が転写された記録媒体Ｐは、第二搬送機構１５２における搬送ベルト５９によって、定着装置１６へ搬送され、転写されたトナー像が定着装置１６により定着される。トナー像が定着された記録媒体Ｐは、第三搬送機構１５３における複数の排出ロール５２によって、画像形成ユニット１１の筐体１３の外部（排出部）へ搬送（排出）される。
【０１０２】
前述のように、本実施形態では、図４に示される加湿ユニット６０の吐出部６４は、転写部３５の表面ＰＡへの画像の転写前に、記録媒体Ｐを裏面ＰＢ側のみから加湿する。
【０１０３】
ここで、転写部３５の表面ＰＡへの画像の転写前に、記録媒体Ｐを表面ＰＡ側から加湿する構成（第一構成）では、図７に示されるように、記録媒体Ｐの表面ＰＡに水分Ｗが付着すると共に、記録媒体Ｐの少なくとも表面ＰＡの表面層に水分Ｗが付与される。
【０１０４】
これにより、記録媒体Ｐの表面ＰＡの表面抵抗が低下することで、二次転写位置Ｔ２において、表面繊維による凹凸の凸部への電流の集中が生じると共に、当該電流の集中による放電が生じる。凸部への電流の集中と、当該電流の集中による放電と、が生じると、二次転写位置Ｔ２において凸部に接したトナーが逆極性となり、凸部において白抜けが発生する。
【０１０５】
これに対して、本実施形態では、記録媒体Ｐを裏面ＰＢ側のみから加湿するため、第一構成に比べ、記録媒体Ｐの表面ＰＡの表面層には、図８に示されるように、水分Ｗが到達しにくい。このため、第一構成に比べ、記録媒体Ｐの表面ＰＡの表面抵抗が低下しにくく、記録媒体Ｐの表面繊維による凹凸の凸部への電流の集中や、当該電流の集中による放電が抑制される。したがって、第一構成に比べ、二次転写位置Ｔ２において凸部に接したトナーが逆極性になりにくく、表面ＰＡに転写される画像で生じる白抜けが抑制される。
【０１０６】
また、本実施形態では、換言すれば、図４に示される吐出部６４が、表面ＰＡの表面抵抗低下率よりも裏面ＰＢの表面抵抗低下率のほうが大きくなるように、転写部３５の表面ＰＡへの画像の転写前に記録媒体Ｐを加湿するともいえる。
【０１０７】
このため、転写部３５の表面ＰＡへの画像の転写前に、表面ＰＡの表面抵抗低下率が裏面ＰＢの表面抵抗低下率以上となるように記録媒体Ｐを加湿する構成（第二構成）に比べ、記録媒体Ｐの表面繊維による凹凸の凸部への電流の集中や、当該電流の集中による放電が抑制される。したがって、第二構成に比べ、二次転写位置Ｔ２において凸部に接したトナーが逆極性になりにくく、表面ＰＡに転写される画像で生じる白抜けが抑制される。
【０１０８】
また、本実施形態では、換言すれば、図４に示される吐出部６４が、表面ＰＡの表面抵抗率よりも裏面ＰＢの表面抵抗率のほうが小さくなるように、転写部３５の表面ＰＡへの画像の転写前に記録媒体Ｐを加湿するともいえる。
【０１０９】
このため、転写部３５の表面ＰＡへの画像の転写前に、表面ＰＡの表面抵抗率が裏面ＰＢの表面抵抗率以下となるように記録媒体を加湿する構成（第三構成）に比べ、記録媒体Ｐの表面繊維による凹凸の凸部への電流の集中や、当該電流の集中による放電が抑制される。したがって、第三構成に比べ、二次転写位置Ｔ２において凸部に接したトナーが逆極性になりにくく、表面ＰＡに転写される画像で生じる白抜けが抑制される。
【０１１０】
また、図４に示される吐出部６４は、転写部３５が表面ＰＡへ画像を転写する際の電圧−電流特性が、加湿を実施しないとき、すなわち、片面モードのとき（図６の実線参照）から予め定められた許容範囲を超えて変化しないように、記録媒体Ｐを加湿する（図６の一点鎖線参照）。換言すれば、本実施形態では、吐出部６４が記録媒体Ｐを加湿した結果、転写部３５が表面ＰＡへ画像を転写する際の電圧−電流特性が、加湿を実施しないときから予め定められた許容範囲を超えて変化しない。
【０１１１】
ここで、転写部３５が表面ＰＡへ画像を転写する際の電圧−電流特性が、加湿を実施しないとき（図６の実線参照）から予め定められた許容範囲を超えるように、加湿する構成（第四構成）では（図６の破線参照）二次転写位置Ｔ２において、表面繊維による凹凸の凸部への電流の集中が生じると共に、当該電流の集中による放電が生じる。凸部への電流の集中と、当該電流の集中による放電と、が生じると、二次転写位置Ｔ２において凸部に接したトナーが逆極性となり、凸部において白抜けが発生する。
【０１１２】
これに対して、前述のように、本実施形態では、転写部３５が表面ＰＡへ画像を転写する際の電圧−電流特性が、加湿を実施しないときから予め定められた許容範囲を超えて変化しないため、第四構成に比べ、記録媒体Ｐの表面繊維による凹凸の凸部への電流の集中や、当該電流の集中による放電が抑制される。したがって、第四構成に比べ、二次転写位置Ｔ２において凸部に接したトナーが逆極性になりにくく、表面ＰＡに転写される画像で生じる白抜けが抑制される。
【０１１３】
さらに、本実施形態では、定着装置１６は、加湿ユニット６０の後述の吐出部６４による加湿がなされた記録媒体Ｐにおける定着温度を、加湿ユニット６０の後述の吐出部６４による加湿がなされていない記録媒体Ｐにおける定着温度よりも高くする。
【０１１４】
このため、記録媒体Ｐが加湿されている否かに関わらず定着温度が維持される構成（第五構成）に比べ、記録媒体Ｐの裏面ＰＢの最表面を乾燥させられる。これにより、第五構成）に比べ、裏面ＰＢに付着した水分によって、裏面ＰＢの表面抵抗が低下しすぎることが抑制され、裏面ＰＢへのトナー像の転写の際に生じる白抜けが抑制される。
【０１１５】
また、本実施形態では、加圧ロール８４の温度を高めることで、加湿ユニット６０による加湿がなされた記録媒体Ｐにおける定着温度を高くする。このため、加熱ベルト８２の温度を高めることで、定着温度を高くする構成に比べ、表面ＰＡへの画像の定着性（例えば画像の光沢）の変化が抑制される。
【０１１６】
さらに、本実施形態では、送風機８９の風量（冷却機能の一例）を低下させることで、加圧ロール８４の温度を高める。このため、加熱機構で加圧ロール８４の温度を高める構成に比べ、消費電力の増加が抑制される。
【０１１７】
さらに、本実施形態では、図４に示される吐出部６４は、表面ＰＡに転写されたトナー像が定着装置１６によって定着された記録媒体Ｐの裏面ＰＢの表面抵抗率が、吐出部６４による加湿の前における記録媒体Ｐの裏面ＰＢの表面抵抗率よりも小さくなるように、記録媒体Ｐを加湿する。換言すれば、本実施形態では、吐出部６４が記録媒体Ｐを加湿した結果、記録媒体Ｐが定着装置１６による加熱によって乾燥しても、定着装置１６による定着後の記録媒体Ｐの裏面ＰＢの表面抵抗率が、吐出部６４による加湿の前における記録媒体Ｐの裏面ＰＢの表面抵抗率よりも小さくなる。
【０１１８】
これにより、トナー像が定着された記録媒体Ｐの裏面ＰＢの表面抵抗率が、吐出部６４による加湿の前における記録媒体Ｐの裏面ＰＢの表面抵抗率以上となるように、記録媒体Ｐを加湿する構成に比べ、記録媒体Ｐの裏面ＰＢに転写されるトナー像に生じる白抜けが抑制される。
【０１１９】
また、本実施形態では、加湿ユニット６０の反転機構６６は、吐出部６４によって加湿された記録媒体Ｐの表裏を反転させ、画像形成ユニット１１へ搬送する。このため、本実施形態のように、転写部３５で転写される際の記録媒体Ｐの表面ＰＡの向きと、吐出部６４で加湿される際の記録媒体Ｐの裏面ＰＢの向きと、を同じ向き（具体的には上側）になる。
【０１２０】
（定着装置１６の変形例）
本実施形態では、定着装置１６は、加湿ユニット６０の吐出部６４による加湿がなされた記録媒体Ｐにおける定着温度を、加湿ユニット６０の後述の吐出部６４による加湿がなされていない記録媒体Ｐにおける定着温度よりも高くしていたが、これに限られない。例えば、定着装置１６は、加湿ユニット６０の吐出部６４による加湿がなされた記録媒体Ｐにおける定着温度を、加湿ユニット６０の後述の吐出部６４による加湿がなされていない記録媒体Ｐにおける定着温度よりも低くしてもよい。
【０１２１】
具体的には、例えば、加圧ロール８４の温度を低下させることで、加湿ユニット６０による加湿がなされた記録媒体Ｐにおける定着温度を低くする。さらに具体的には、送風機８９の風量（冷却機能の一例）を高めることで、加圧ロール８４の温度を低下させる。
【０１２２】
本変形例では、前述のように、定着装置１６が、加湿ユニット６０の吐出部６４による加湿がなされた記録媒体Ｐにおける定着温度を、加湿ユニット６０の後述の吐出部６４による加湿がなされていない記録媒体Ｐにおける定着温度よりも低くする。このため、記録媒体Ｐが加湿されている否かに関わらず定着温度が維持される構成に比べ、記録媒体Ｐからの水蒸気の量が抑えられ、定着装置１６周辺の結露や、ブリスタ（記録媒体Ｐからの水蒸気が画像（トナー層）を突き破って排出される現象）が抑制される。
【０１２３】
本変形例では、加圧ロール８４の温度を低下させることで、加湿ユニット６０による加湿がなされた記録媒体Ｐにおける定着温度を低くする。このため、加熱ベルト８２の温度を低くすることで、定着温度を低くする構成に比べ、表面ＰＡの画像の定着性（例えば画像の光沢）の変化が抑制される。
【０１２４】
本変形例では、送風機８９の風量（冷却機能の一例）を高めることで、加圧ロール８４の温度を低下させる。このため、他の冷却機構で加圧ロール８４の温度を低下させる構成に比べ、部品点数の増加が抑制される。
【０１２５】
（加湿手段の変形例）
本実施形態では、加湿手段の一例として、吐出ヘッドで構成された吐出部６４を用いたが、これに限られない。加湿手段の一例としては、例えば、図９に示される加湿機構６００を用いてもよい。加湿機構６００は、記録媒体Ｐの裏面ＰＢが下側を向いた状態で裏面ＰＢを加湿する構成とされている。
【０１２６】
この加湿機構６００は、貯留部６１０と、供給ロール６１２と、調整部材６１４と、加湿ロール６１６と、撥水ロール６１８と、を有している。貯留部６１０は、水組成物を貯留する機能を有している。この貯留部６１０は、例えば、上方が開放された箱体で構成されている。
【０１２７】
供給ロール６１２は、貯留部６１０に貯留された水組成物をくみ上げて、該水組成物を加湿ロール６１６に供給する機能を有している。供給ロール６１２は、具体的には、例えば、親水性を有するゴム層を外周部分に有するロールで構成されている。この供給ロール６１２は、一部（下部）が貯留部６１０の水組成物に浸漬し、他の一部（上部）が加湿ロール６１６に接触している。供給ロール６１２では、図９における反時計周り方向へ回転することで、貯留部６１０の水組成物をくみ上げると共に、該水組成物を加湿ロール６１６へ向けて搬送し、該水組成物を加湿ロール６１６に供給する。
【０１２８】
調整部材６１４は、供給ロール６１２が保持する水組成物の保持量を調整する機能を有している。調整部材６１４は、具体的には、例えば、供給ロール６１２の外周面に接触するブレードで構成されている。この調整部材６１４では、回転する供給ロール６１２の外周面に接触して、供給ロール６１２が保持している水組成物の一部（表層）を掻き落とすことで、供給ロール６１２が保持する水組成物の保持量を調整する。なお、調整部材としては、供給ロール６１２が保持している水組成物の一部（表層）を除去するロールや、供給ロール６１２が保持している水組成物の一部（表層）を払拭するウェブ等であってもよい。
【０１２９】
加湿ロール６１６は、供給ロール６１２から水組成物を受け取り、該水組成物を記録媒体Ｐに供給して記録媒体Ｐを加湿する機能を有している。加湿ロール６１６は、具体的には、例えば、親水性を有するゴム層を外周部分に有するロールで構成されている。この加湿ロール６１６の一部（下部）が供給ロール６１２に接触しており、他の一部（上部）が記録媒体Ｐに接触する。加湿ロール６１６では、図９における時計周り方向へ回転することで、供給ロール６１２から受け取った水組成物を記録媒体Ｐへ向けて搬送し、該水組成物を記録媒体Ｐに供給する。具体的には、加湿ロール６１６は、記録媒体Ｐの裏面ＰＢに付着させる。加湿機構６００では、加湿ロール６１６は、記録媒体Ｐの裏面ＰＢが下方側を向いた状態で裏面ＰＢに水組成物を付着させる。
【０１３０】
撥水ロール６１８は、記録媒体Ｐの表面ＰＡを押さえ、記録媒体Ｐの裏面ＰＢが加湿ロール６１６に接触した状態を維持する機能を有している。換言すれば、撥水ロール６１８は、加湿ロール６１６とで記録媒体Ｐを挟んでいる。
【０１３１】
撥水ロール６１８は、具体的には、表面層に撥水性を有するロールで構成されている。撥水ロール６１８は、表面層が撥水性を有するため、表面層での水分の保持が抑制されている。これにより、記録媒体Ｐの表面ＰＡへの水分の供給が抑制される。なお、撥水ロール６１８には、さらに撥水ロール６１８の表面から水分を除去する除去部材が設けられていてもよい。
【０１３２】
さらに、加湿手段としては、例えば、加圧した高圧の空気と水組成物とを混合して記録媒体Ｐに吹き付ける機構や、高速で回転する円盤から遠心力により水組成物を噴霧する機構などを用いてもよい。
【０１３３】
（他の変形例）
画像形成装置１０では、両面モードと、片面モードと、が選択可能となっていたが、これに限られない。例えば、画像形成装置１０は、記録媒体Ｐの両面（表面ＰＡ及び裏面ＰＢ）に画像を形成する専用の画像形成装置として構成されていてもよい。
【０１３４】
また、本実施形態では、加湿手段の一例としての吐出部６４が加湿ユニット６０に備えられていたが、これに限られない。例えば、加湿手段としては、第一搬送機構１５１の搬送経路中に設けられていてもよい。すなわち、加湿手段としては、画像形成ユニット１１に備えられていてもよい。
【０１３５】
また、本実施形態では、反転機構の一例としての反転機構６６が加湿ユニット６０に備えられていたが、これに限られない。例えば、反転機構としては、第一搬送機構１５１の搬送経路中に設けられていてもよい。すなわち、反転機構としては、画像形成ユニット１１に備えられていてもよい。
【０１３６】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【０１３７】
＜評価＞
実施例及び比較例において、記録媒体Ｐの表面ＰＡ及び裏面ＰＢに転写される画像の白抜けの有無（画質）について評価を行った（図１０参照）。
本評価では、画像形成ユニット１１として、富士ゼロックス株式会社製Ｖｅｒｓａｎｔ２１００を用いた。２５℃、３５％ＲＨの環境下で試験を行った。記録媒体Ｐとして、パッケージ開封直後の坪量１５７ｇ／ｍ２の上質紙（商品名：しらおい、日本製紙製）を用いた。
【０１３８】
画質判定は、以下のように行った。すなわち、記録媒体Ｐの表面ＰＡにマゼンタとシアンを重ねて得られるブルーのベタ画像とブラックのハーフトーン画像とを転写し、定着後、表裏が反転された記録媒体Ｐの裏面ＰＢにブルーのベタ画像とブラックのハーフトーン画像を転写する。そして、表面ＰＡのベタ画像及びハーフトーン画像と、裏面ＰＢのベタ画像及びハーフトーン画像と、において、白抜けの有無を目視にて確認した。白抜けがない場合を「無」とし、白抜けがある場合を「有」としている。また、スラッシュ「／」の左側が、表面ＰＡの結果を示し、スラッシュ「／」の右側が、裏面ＰＢの結果を示す。
【０１３９】
また、実施例及び比較例における表面ＰＡの表面抵抗率と、裏面ＰＢの表面抵抗率と、測定した。表面抵抗率は、例えば、ＪＩＳ  Ｋ６９１１に則り、二重リング測定法により測定した。スラッシュ「／」の左側が、表面ＰＡへの画像の転写前（具体的には装置内へ搬送前）の結果を示し、スラッシュ「／」の右側は、表面ＰＡに転写された画像を定着した後、裏面ＰＢへの画像の転写前の結果を示す。「―」は、測定しなかったことを示す。
【０１４０】
（比較例１）
比較例１は、記録媒体Ｐに対して加湿せずに、記録媒体Ｐの表面ＰＡ及び裏面ＰＢに画像を形成する例である。
（比較例２）
比較例２は、記録媒体Ｐの全体（表面ＰＡ及び裏面ＰＢ）に対して加湿した後に、記録媒体Ｐの表面ＰＡ及び裏面ＰＢに画像を形成する例である。本比較例では、内部が高湿度の密閉されたボックスに記録媒体Ｐを収容することで、記録媒体Ｐの全体（表面ＰＡ及び裏面ＰＢ）を加湿した。
（比較例３）
比較例３は、記録媒体Ｐの表面ＰＡに対して加湿した後に、記録媒体Ｐの表面ＰＡ及び裏面ＰＢに画像を形成する例である。
構成である。本比較例では、インジェットヘッドを用いて記録媒体Ｐの表面ＰＡを加湿した。
（実施例１、２）
実施例１、２は、記録媒体Ｐの裏面ＰＢに対して加湿した後に、記録媒体Ｐの表面ＰＡ及び裏面ＰＢに画像を形成する例である。実施例１，２では、インジェットヘッドを用いて記録媒体Ｐの裏面ＰＢを加湿した。なお、実施例２では、実施例１よりもインジェットヘッドの吐出量を増加させている。
【０１４１】
この結果、図１０に示されるように、実施例１、２では、表面ＰＡに転写された画像（ベタ画像及びハーフトーン画像）において、白抜けが発生しなかった。これに対して、比較例２、３では、表面ＰＡに転写された画像（ベタ画像及びハーフトーン画像）において、白抜けが発生した。したがって、本実施例の構成によれば、表面ＰＡへの画像の転写前に記録媒体Ｐを加湿する構成において、表面ＰＡに転写される画像に生じる白抜けが抑制されることがわかった。また、実施例２に示されるように、記録媒体Ｐの裏面ＰＢを加湿することで、表面ＰＡに転写される画像及び、裏面ＰＢに転写される画像に生じる白抜けが抑制されることがわかった。
【符号の説明】
【０１４２】
１０   画像形成装置
１６   定着装置（定着手段の一例）
３５   転写部（転写手段の一例）
６０   加湿ユニット（加湿装置の一例）
６４   吐出部（加湿手段の一例）
６６   反転機構
８４   加圧ロール（接触部材の一例）
８９   送風機（冷却機構の一例）
Ｐ     記録媒体
ＰＡ   表面（一方の面の一例）
ＰＢ   裏面（他方の面の一例）
【図１】
2020003641.tif 000003
【図２】
2020003641.tif 000004
【図３】
2020003641.tif 000005
【図４】
2020003641.tif 000006
【図５】
2020003641.tif 000007
【図６】
2020003641.tif 000008
【図７】
2020003641.tif 000009
【図８】
2020003641.tif 000010
【図９】
2020003641.tif 000011
【図１０】
2020003641.tif 000012